(57)【要約】  血管のための経カテーテル仮人工弁であって、拡張可能支持構造（５’’）と、弁（７）と、フィルタ（１２）と、コンベヤ（６）とを含み；前記支持構造（５’’）は、拡張されると遠位端と近位端とを含む管状形状を形成し、前記弁（７）は、前記遠位端に位置し、前記コンベヤ（６）は、前記支持構造（５）内を前記近位端から前記遠位端まで延び他のデバイスのための導入器として働くように適用された中央通路を含む、経カテーテル仮人工弁。
2020520296.tif 000002
【特許請求の範囲】
【請求項１】
血管のための経カテーテル仮人工弁であって、
拡張可能支持構造（５’’）と、
弁（７）と、
フィルタ（１２）と、
コンベヤ（６）と
を含み；
前記支持構造（５’’）は、拡張されると、遠位端と近位端とを含む管状形状を形成し、前記弁（７）は、前記遠位端に位置し、前記コンベヤ（６）は、前記支持構造（５）内を前記近位端から前記遠位端まで延び他のデバイスのための導入器として働くように適用された中央通路を含む、前記経カテーテル仮人工弁。
【請求項２】
前記フィルタ（１２）および前記コンベヤ（６）は、単一の要素を形成するように組み合わせられる、請求項１に記載のプロテーゼ。
【請求項３】
前記フィルタ（１２）は、前記支持構造（５）の内壁に接して配置される、請求項１に記載のプロテーゼ。
【請求項４】
前記コンベヤは、前記近位端に配置された漏斗部分と、前記遠位端に配置された管状部とを含む、請求項１〜３のいずれか１項に記載のプロテーゼ。
【請求項５】
コンベヤ（６）の遠位端は、他のデバイス（６’’）のための漏れのない導入器として働くように要求に応じて横断される、二方向常閉弁を含むことを特徴とする、請求項４に記載のプロテーゼ。
【請求項６】
前記弁（７）は、いくつかの弁尖を含む、請求項１〜５のいずれか１項に記載のプロテーゼ。
【請求項７】
急性の深刻な弁不全の場合の血液循環を支援する機能を含む、解剖手術部位に展開され位置決めされるように適用される、請求項１〜６のいずれか１項に記載のプロテーゼ。
【請求項８】
急性の深刻な大動脈弁不全の場合の血液循環を支援する機能を含むように適用される、請求項７に記載のプロテーゼ。
【請求項９】
大動脈上血管に沿って配置されるように適用され、それらを塞栓するデブリを防ぐ、大動脈上血管デフレクタ（９）を含む、請求項８に記載のプロテーゼ。
【請求項１０】
冠動脈口の正面に配置されるように適用され、冠動脈内へのデブリの塞栓を防ぐ、２つの冠動脈デフレクタ（８）を含む、請求項８または９に記載のプロテーゼ。
【請求項１１】
前記弁（７）、前記フィルタ（１２）および前記コンベヤ（６）は、前記支持構造（５’’）内に配置される、請求項１〜１０のいずれか１項に記載のプロテーゼ。
【請求項１２】
前記支持構造（５’’）は、内側カテーテル（３’）を結合するように適用された複数の係留ストラット（４’、４’’）を含む円錐形終端を有し、構造は、係留ストラット（４’、４’’）を引っ張ることで拡張状態から圧縮状態へと折り畳み可能である、請求項１〜１１のいずれか１項に記載のプロテーゼ。
【発明の詳細な説明】
【技術分野】
【０００１】
本発明は、たとえば大動脈弁である天然弁の置換の修復の間に血管内に位置決めされるように設計された拡張可能人工弁に関する。
【背景技術】
【０００２】
経カテーテル人工心臓弁の植え込み（ＴＡＶＩ）に関連する臨床合併症は、主に、それが疾患のある天然弁にオーバーラップするということに関連している。弁装置および周囲組織を巻き込む組織石灰化が多量に存在することは、プロテーゼの適当な展開に影響を与え、それによって塞栓症状出現の状態が生み出される。
【０００３】
したがって、ＴＡＶＩ植え込みに関連する様々なタイプの臨床合併症は、主に、天然弁の異栄養性石灰化、および人工弁の不均等な展開に関連しており：
・中度−重度の心臓弁膜周囲の漏れ（グレードＩＩ）の発生
・塞栓事象（血塊および線維または石灰の塞栓）の発生
である。
【０００４】
経カテーテル人工大動脈弁植え込み後の中度−重度の心臓弁膜周囲の漏れ（ＰＶＬ）の発生は、この特定の患者サブグループについて、１年を通じた死亡率のピークでの少なくとも１０％である。
【０００５】
第２世代の経カテーテル心臓弁に相当する臨床データは、実質的に、ＰＶＬの懸念がある第１世代のものよりも良い。実際、中度のＰＶＬの発生は、３．４％まで下がったが、様々な著者が、「高いカルシウムスコアの弁」の患者におけるＰＶＬ合併症のより高いパーセンテージを実証している。
【０００６】
冠動脈閉塞は、２つの異なるケースである、すなわち冠動脈口の機械的閉塞が大動脈弁天然弁尖によって誘発される、またはＴＡＶＩ植え込み処置の間のカルシウムデブリの塞栓、によって生じる一種の臨床合併症である。この臨床合併症の発生はＴＡＶＩ植え込みのたった１％であるにもかかわらず、植え込み処置後、数日遅れたケースの５０％が致命的となる。中程度のリスクの患者に対するＴＡＶＩ植え込みの拡大によって、さらに、より若年の患者集団への深刻な事象が増加している。
【０００７】
冠動脈口の機械的閉塞は、ＴＡＶＩが、その展開中に、冠動脈口の障害を生み出している石灰化した天然弁尖を外方に押すことにより発生することがある。同じ状態は、ＴＡＶＩが劣化したバイオプロテーゼの上に植え込まれたときに発生することがある。特に、「ステントレス」のものなどいくつかのバイオプロテーゼで、冠動脈口の閉塞のリスクの頻度が、ＴＡＶＩ植え込みの場合よりも高い。
【０００８】
「マクロ塞栓性脳事象」と呼ばれる処置的な塞栓事象は、ＴＡＶＩ植え込み術の間（前拡張、植え込みまたは後拡張の間）に発生し、主に、通常は脳（卒中）、冠動脈または周辺器官を的とする線維弾性粒子のカルシウムのマクロデブリの塞栓に関連している。しかし、脳卒中は、今日、前の世代のＴＡＶＩの３．３％の割合に対して２．７％の割合で発生する最も恐ろしい臨床事象である。この脳卒中の減少は、ＴＡＶＩ植え込みの間の前拡張および後拡張の低い必要性に関係しており、にもかかわらず、このデータは、軽いレベルの石灰化の大動脈弁に言及しているので、不確かである。
【０００９】
後処置のミクロ塞栓性脳事象は、調査を受けた患者の少なくとも８％に記録される。ＴＡＶＩ後の新しい脳損傷の高いインシデントは、神経認知機能の長期的な判定の根拠となる。
【００１０】
３か月の短い追跡調査が行われたこの研究では、神経認知機能が損なわれないことが臨床的に観察され、３か月ＭＲＩでは、病巣の大部分（８０％）が治癒していた。しかし、処置付近の脳塞栓の発症および神経認知機能におけるその潜在的な影響は、ＴＡＶＩの適応が予想余命の長いより若年の患者を含むように拡大されてしまえば、臨床的なかかわり合いがより大きくなることの予告であると言える。
【００１１】
したがって、ＴＡＶＩ分野でのさらなる研究は、塞栓のリスクを減少させる戦略（たとえば、より低い外傷性、より小さなボアのカテーテルシステム、塞栓についての患者のリスクの改善された識別、および脳保護デバイスの潜在的な使用）の開発に向けられるべきである。
【００１２】
いくつかの臨床研究では、ＴＡＶＩ植え込みを受けた患者の少なくとも１０％は、心理測定テストの間に検出可能な神経損傷を示す。この発生率は、高いリスクおよび高齢患者集団において許容可能であるが、より低いリスクのより若年の患者においては許容不可能と思われる。いくつかの臨床研究は、この臨床状態をより詳しく調査するために進行中である。
【００１３】
他の部類の塞栓事象は、処置後すぐに発生する亜急性および慢性のミクロ塞栓事象である。天然大動脈石灰化弁は、粗剛で、不動化され、アテローム硬化性の潰瘍化したプラークのように働く小隆起表面を含む。この状態は、後に脳および他の周辺器官に塞栓を引き起こす微小血栓の形成に好都合である。ミクロ塞栓の原因として所定位置に残る天然大動脈弁は、血管に起因する痴呆の開始におけるそれらの役割を証明したいくつかの臨床研究において考慮に入れられている。このエビデンスは、血管性痴呆の加速が社会費用において深刻な衝撃を与えることがある、より若年の患者にＴＡＶＩが植え込まれる場合の懸念を生み出している。
【００１４】
要するに、ＴＡＶＩ植え込みの後の処置付近の臨床合併症は、所定位置に残っているひどく石灰化した大動脈弁の存在に深く関係している。それは、急に、マクロ塞栓脳事象（脳卒中）の発生および、様々な重症度の大動脈弁不全という結果をもたらすＰＶＬなどの血行動態結果を引き起こす。これらの不十分な臨床結果は、ひどく石灰化した大動脈天然弁の共存における経カテーテル人工弁の不整の展開に密接に関係している。
【００１５】
長期の臨床合併症は、血管性痴呆の原因の塞栓の原因となる所定位置に残っている天然大動脈弁弁尖によって生成される脳のミクロ塞栓を特徴とする。
【００１６】
ＴＡＶＩにおける臨床合併症の全体の割合は、５％〜１２％の範囲である。この発生は、ひどく石灰化した二尖天然弁の患者を含まないので、少なく見積もられている可能性が高い。
【００１７】
これらのエビデンスは、ＴＡＶＩ処置中に発生する塞栓に対する周辺器官、特に脳および心臓の保護の重要性を強調している。
【００１８】
今日、塞栓産物から器官を守る、デフレクタまたは抗塞栓フィルタとして働くいくつかのデバイスが市場に出回っている。デフレクタの場合、プロテクションシステムは、塞栓を腕頭動脈および左総頸動脈から末梢循環の方へ偏向させる。抗塞栓フィルタの場合では、それらは、メッシュにより塞栓を実際に捕獲する。
【００１９】
特許文献１には、バルサルバ洞上行大動脈移行部から大動脈根の中に挿入されるように設計される仮人工弁が開示されている。
【００２０】
デバイスは、円錐形の弁内に含まれるフィルタを含む。
【００２１】
上述のデバイスは、他の従来技術のデバイスに関していくつかの改善を提供する。しかし、それは、血液の逆流から生じる漏れのリスク、またはカテーテルの寸法的な制限による、プロテーゼへの追加デバイスの挿入の困難さなど、いくつかの不都合を示している。
【先行技術文献】
【特許文献】
【００２２】
【特許文献１】ＷＯ２０１５／１８５８７０
【発明の概要】
【課題を解決するための手段】
【００２３】
前章に記載の不都合は、特許請求の範囲において定められるようなデバイスに関する本発明を用いて解決される。
【００２４】
より詳細には、本発明は、抗塞栓プロテクション、弁機能ならびに他のデバイスのための自己調心コンベヤを同時に提供する一体型システムから構成される。コンベヤ機能は、疾患のある天然弁において動作する経カテーテルデバイス（天然弁尖剛性の緩和または天然弁の部分的／全体的なアブレーションのためのデバイス）、またはＴＡＶＩまたは植え込み予定の他の弁を入れ、調心するのに適している。したがって、このシステムは、ＴＡＶＩ処置全体を最適化することができ、特に複雑な処置で起こり得る急性の処置付近臨床合併症の低減に非常に効果的である。
【００２５】
本発明によるデバイスは、カテーテル内部に全体が折り畳まれており、大動脈弓に到達し所定位置で展開されることを目的として、患者の動脈に導入されると考えられる。デバイスは、一時的な弁支持体を提供して心臓、脳および周辺器官をあらゆる種類の塞栓から守りながら、天然弁での処置を実行する様々な経カテーテルデバイスによる横断を可能にする。
【００２６】
デバイスは、再位置決めのために、処置の間、完全にまたは部分的に折り畳まれることができる。処置の終わりに、デバイスは折り畳まれて軸の内部へと後退させられ、患者から完全に回収される。
【００２７】
デバイスは、好ましくは、大動脈壁に漏れることなく連結する成形支持構造内に含まれる人工弁を有する。第２の構造は、支持構造に対して内側または遠位にあり、抗塞栓フィルタのような役目をする。第３の構造は、コンベヤと呼ばれる円錐形または漏斗のような形状をしており、支持構造に対して内側または遠位にあってよく、人工弁の内側ルーメンを横断する。それは、デバイスにわたる導管を作成し、疾患のある大動脈弁上で動作するいくつかの経カテーテルデバイスの導入および弁の軸に対する関連の位置合わせを促進する機能を有する。
【００２８】
一実施形態では、人工弁は、支持構造の内面に固定される。この場合、大動脈壁と接触するための外側支持構造の拡張は、内側人工弁によって調整される。したがって、デバイスの寸法は、血行動態性能および抗塞栓プロテクションの観点において効力が限定される人工弁不全を回避するために、介入のときに正確に決定されなければならない。
【００２９】
他のグループの実施形態では、人工弁は、抗塞栓フィルタから独立していると考えられ、したがって、大動脈壁への適合のための後者の拡張は、人工弁機能を邪魔しない。この実施形態は、外側支持構造および内側人工弁が一種の隔壁によって連結されることを必要とする。このように、内側人工弁の寸法は、大動脈壁への適合のときの外側支持構造の直径の変化とは無関係である。このグループには、フィルタおよびコンベヤ要素の位置決めならびに支持構造の材料の観点から異なるいくつかの実施形態、すなわち、主支持構造の内側または外側にコンベヤおよび／またはフィルタを有する実施形態、ならびに自己拡張性金属材料から作られるすべての支持構造、膨張可能構造または複合のものを有する実施形態が属する。
【００３０】
本発明は、図示されるいくつかの例に関連して、以下においてより良く理解されよう。
【図面の簡単な説明】
【００３１】
【図１】軸３の内部に閉じ込められ、大動脈内のバルサルバ洞上行大動脈移行部レベルに位置決めされているデバイス４の図である。
【図２】人工弁が開いている、上行大動脈内に展開されているデバイス４の図である。
【図３】人工弁が閉じている、上行大動脈内に展開されているデバイス４の図である。
【図３ａ】血流方向を示している、上行大動脈内に展開されているデバイス４の図３のような図である。
【図４】冠動脈デフレクタ８および大動脈上血管デフレクタ９を含む、上行大動脈内に展開されているデバイス４の図である。
【図４ａ】血流方向を示している、図４と同様に上行大動脈内に展開されているデバイス４の図である。デフレクタは、塞栓をブロックするが血液灌流は妨げない。
【図５】展開配置にある複合デバイス４の図（長軸図）である。
【図６】展開配置にある複合デバイス４の図（短軸図または心室図）である。
【図７】内側弁支持ステント１４の図である。
【図７ａ】内側弁支持ステント１４：流入プロファイルの１つの配置の図である。
【図７ｂ】内側弁支持ステント１４：流入プロファイルの他の配置の図である。
【図７ｃ】内側弁支持ステント１４：流入プロファイルの他の配置の図である。
【図７ｄ】内側弁支持ステント１４：流入プロファイルの他の配置の図である。
【図７ｅ】内側弁支持ステント１４：流入プロファイルの他の配置の図である。
【図８】外側支持構造５の図である。
【図９】外側支持構造５および弁支持ステント１４の図である。
【図９ａ】外側支持構造５および結合された内側構造５’’の図である。
【図９ｂ】コンベヤ６と弁支持ステント１４を一体化する結合された内側構造５’’の図である。構造５’’は、キーホール係留ストラット５’’’によって外側支持構造５に固定される。
【図１０ａ】コンベヤと人工弁１５の相互作用を示す、デバイス４の内側構造の図である。
【図１０ｂ】図１０ａの別の図である。
【図１１】抗塞栓フィルタメッシュ１０のない、組み立て済みデバイス４の図である。
【図１２】自己拡張型メッシュ付きの、組み立て済みデバイス４の図である。
【図１３】コンベヤだけがある図１２のようなデバイスの図である。
【図１４】外側支持構造およびその内壁に固定された内側弁を含む図１２のようなデバイスの図である。
【図１５】外側支持構造だけを含めて示される図１２のようなデバイスの図である。
【図１６】コンベヤシステムがデバイスの外側に配置されている、デバイス４の図である。この実施形態では、それはデバイスに対して直列に順次に近位方向に配置されている。
【図１６ａ】コンベヤシステムがデバイスの外に配置されている、デバイス４の他の実施形態の図である。
【図１６ｂ】コンベヤシステムがデバイスの外に配置されている、デバイス４の他の実施形態の図である。
【図１６ｃ】コンベヤシステムがデバイスの外に配置されている、デバイス４の他の実施形態の図である。
【図１６ｄ】コンベヤシステムがデバイスの外に配置されている、デバイス４の他の実施形態の図である。
【図１６ｅ】コンベヤシステムがデバイスの外に配置されている、デバイス４の他の実施形態の図である。
【図１６ｆ】コンベヤシステムがデバイスの外に配置されている、デバイス４の他の実施形態の図である。
【図１７】図１６と同様であるが、遠位コンベヤチューブがなく、二方向常閉弁６’’および弁支持ステント１４を含む、デバイス４の図である。
【図１８】内側弁支持ステント１４、および二方向常閉弁６’’を含む遠位コンベヤチューブの図である。
【図１９】デバイスを支持する膨張可能構造を含むデバイス４の図である。コンベヤは、図１６に示されるように、デバイス４の近位に配置されている。
【図２０】図１９に示されるようなデバイス４の図である。内側構造が見える。弁支持ステント１４が見える。
【発明を実施するための形態】
【００３２】
手順
この章では、外側支持構造内にある弁と、フィルタと、コンベヤ要素とを有する一実施形態に関するアイテムの説明を用いて手順を述べる（図５参照）。この手順は、異なるアイテムが相互に位置決めされる、他の実施形態に適用されることも意図する。
【００３３】
デバイスは、動脈血管に導入される前は、外側軸カテーテル３内に折り畳まれている（図１）。外側軸カテーテルの遠位部分は、外側軸カテーテル３の縁にわたって展開されるバルーンカテーテル先端２を備える。このバルーン先端の機能は、放射線不透過性溶液による膨張により正確な位置決めを確実にしつつ、デバイスが上行大動脈の方に向けて移動する間の動脈壁のいかなるダメージも回避することである。デバイスがバルサルバ洞上行大動脈移行部のレベルに位置決めされると、バルーン先端は収縮され、患者の体内から外に後退させられる。図２では、デバイスは、上行大動脈内に展開され、外側軸カテーテル３は後退されている。デバイスが展開されるとき、外側支持構造５は、すべての血液をデバイス内へと運ぶために、大動脈壁に適合される。デバイス４は、ストラットまたはテザー４’によって、内側軸カテーテル３’に連結されている。内部的には、デバイスは、外側支持構造５によって支えられる２つの構成要素：コンベヤ６と、人工弁１５とを有する。コンベヤ６は、外側支持体５の近位部分に近位に固定され、デバイス内に「漏斗のように」チャネル６’の境界を画する。コンベヤの役目は、デバイス（弁形成術バルーンまたはＴＡＶＩなど）が大動脈弁の方に向けて横断することを可能にすることである。記載の特定の実施形態の場合、コンベヤ６の他の機能は、抗塞栓フィルタを支持することである。２つ、３つまたはそれ以上の弁尖を備えた人工弁の役目は、天然大動脈弁における介入処置の間の大量の血流の逆流（たとえば、弁形成術後、ＴＡＶＩ植え込み術後、または将来における大動脈弁の介入的アブレーション後の心臓弁膜周囲の著しい漏れ）を回避することである。人工弁１５は、外側支持構造５の遠位縁に直接固定することができるが、記載の実施形態では、それは、独立した弁支持体に取り付けられ、ファブリックの隔壁によって外側支持構造５に結合されている。弁機能は、閉鎖段階ではコンベヤ６の遠位外面に付着する弁尖の結合によって与えられる。図２および図２ａはそれぞれ、閉位置および開位置にあるデバイス４および疾患のある弁を示している。
【００３４】
図３では、デバイスは、図２のように展開されて示されているが、デバイスは、２つの冠動脈フィルタ８および１つの大動脈上血管フィルタ９によって表される追加の構成を備える。最初のものは、大動脈弁における介入処置中の冠動脈口内への、可能性のあるデブリの塞栓を妨げる。この事象は、あまり頻繁でないにもかかわらず、非常に多くの場合、重篤なものとなる。２番目のものは、脳に塞栓を引き起こして脳卒中を発症させる、デバイス４によって偶発的に完全には捕獲されなかった、可能性のある残余デブリを回避することを目的としている。このデフレクタは、危険性の高い処置の場合、外側軸カテーテル３をさらに後退させることによって展開させることができる。
【００３５】
上述の冠動脈および大動脈上血管保護システムは、実質上、本明細書の以下に記載の特定の実施形態のいずれかに適用することができる。
【００３６】
機能中、収縮期の血流は、天然大動脈弁を横断し、人工弁を開け、抗塞栓フィルタ６を横断する。図４は、収縮期における血流方向の詳細を示しており、大動脈上血管を通る流れパターンと一緒に、大動脈を通る主流パターン、および、天然弁による冠動脈口の不完全な封止によって与えられる、冠動脈を通る流れがある。
【００３７】
塞栓デブリは、コンベヤ６と外側支持構造５との間の構造内に捕獲されてとどまる。
【００３８】
必要に応じて、デバイスは、患者の血行動態の安定化を可能にするため、ある期間、所定位置に留置され、その後除去される。この場合、治療したときの天然弁の機能性の回復を確認し必要な場合に治療を繰り返すために、人工弁を開けさせる特定の機構を使用することができる。上述の弁開放機構は、実質上、本明細書の以下に記載の特定の実施形態のいずれかに適用することができる。
【００３９】
処置の終わりに、大動脈天然弁上で動作していたデバイスは、コンベヤ６’の内側ルーメンから外に移動される。デバイス４は、外側軸カテーテル３を遠位に押すことによって完全に回収される。このように、デバイス構造は、デバイスの遠位端に達するまでに徐々に折り畳まれ、その内部にすべての捕獲した塊またはカルシウムデブリを安全に保ち続ける。
【００４０】
デバイス４は、天然大動脈弁における介入処置中の効果的な抗塞栓プロテクションの提供、ならびに、大動脈弁不全がある場合、血液循環を支援することが考えられる。
【００４１】
具体的には、天然弁における軽度から重度の弁不全は、バルーン弁形成、最適ではないＴＡＶＩ植え込み、または結果として遊動を伴うＴＡＶＩの誤った植え込みの後に起こることがある。この最後にある状態は、臨床的に重篤となり、患者の生存の可能性が限定されるおそれがある。
【００４２】
他の将来的な状態では、デバイスは、絶対的に不可欠である。それは、疾患のある天然大動脈弁が介入的なオフポンプ処置により除去される場合である。この複雑な処置において、天然弁の切開の間、抗塞栓プロテクションは必須であり、さらにより重要である補助的な大動脈弁機能が求められ、その間、無縫合人工弁が植え込まれる。デバイスは、これらのすべての要求に応えることができる。
【００４３】
特定の一実施形態では、抗塞栓フィルタおよび人工弁を１つの単一デバイスに一体化した弁は、取り外し可能な２つの構成要素を提供することができる。
【００４４】
疾患のある天然大動脈弁の介入的アブレーションの場合では、その除去後、人工弁がデバイス４から取り外され、ＴＡＶＩ処置と同様に恒久的な無縫合人工弁として所定位置に留置されることもある。
【００４５】
デバイスの主な要素の詳細
人工弁
弁は、処置の間、疾患のある弁を一時的に置換し、その間、大動脈狭窄症の患者の臨床状態に適合する流体力学的性能を可能にする。
【００４６】
支持構造
支持構造は、単一の要素構造５’’または複数要素のもののどちらであってもよい。１番目の場合では、それは、大動脈との連結、弁およびフィルタの支持、ならびにコンベヤのとしての働きの機能を有する。２番目の場合では、外側支持体５は、大動脈との連結および他の構造の支持という機能を有する。弁支持ステント１４は、弁の弁尖を支持する目的を有し；コンベヤ支持体６は、本明細書の以下に記載する。支持体５（５’’）の内面は、大動脈壁に対するデバイスのより良い封止を可能にするだけでなく、接触が限定される場合に塞栓の遊動を妨げるために、抗塞栓組織メッシュ１２によって覆われている。
【００４７】
フィルタ
フィルタ１２は、弁の流体力学的特性を大幅に変えることなく塞栓デブリを保持することができる。いくつかの実施形態では、フィルタおよびコンベヤファブリックは、ただ１つの要素に結合される。
【００４８】
コンベヤ
コンベヤ６は、ＴＶＡＦの導入要素であり：それは、その要素の幾何形状により、外側カテーテル３に装填された特定のデバイス（すなわちＴＡＶＩ）の原位置での位置決めをより簡単にする。典型的には、一連の要素である：ファブリックまたは薄膜などの抗塞栓メッシュライニングを含む円錐形支持構造、不透過性ライニングを含む遠位円筒形拡張可能管状部材、および二方向常閉弁は、相互連結されている。
【００４９】
いくつかの実施形態では、コンベヤ６および弁支持ステント１４は、ただ１つの要素５’’に結合される。
【００５０】
内側および外側の軸カテーテル
内側軸カテーテル３’は、デフォルトの設定では、デバイス４を恒久的に支持する。内側軸カテーテルは、外側軸カテーテル３によって保護される。外側軸カテーテル３は、デバイスを所定位置に案内する、およびデバイス４の展開／再捕獲を可能にする機能を有する。
【００５１】
本発明は、当然、本明細書に記載の実施形態および例に限定されない。したがって、本開示は、本明細書の以下に記載の任意の特定の要素によって制限されるべきではない。
【００５２】
より詳細には、材料に限って言えば：支持構造は、本明細書では、大部分の実施形態について、ニチノールのような自己拡張性金属材料から作られるとして述べられているが、同様の特性を有する他の金属材料および非金属材料を適用してもよく、やはりまた、ポリマーの膨張可能なもののような非自己拡張型構造を適用してもよく；フィルタは、ポリマー織ファブリックとして述べられているが、不織（すなわち、較正された孔を含む薄膜）、およびまたは、同様の特性を有する金属材料を適用してもよく；弁は、漏れない特性を確実にするように被覆されたポリマー織ファブリックとして述べられているが、同様の特性を有する不織のものを適用してもよく；カテーテルは、ポリマーチューブを含むが、金属補強ポリマーチューブも含む。
【００５３】
技術に限って言えば：金属支持構造は、レーザ切断チューブまたは溶接シートによって、織物（すなわち、複数のストランド）および単一のワイヤ構造によって得られるとして述べられており；デバイスの異なる要素同士の間の連結は、糊付け、はんだ付け、溶接（すなわち、超音波）、粘着、裁縫および他の適用可能な方法のどれかであってよく；弁は、ファブリックの被覆によって得られるが、ポリマー薄膜のような他の合成または天然の材料を適用してもよい。
【００５４】
実施形態に限って言えば：本記載において、疾患のある大動脈弁を回復させるために大腿アクセスにより使用されると考えられる実施形態が示されている。同時に、大腿とは異なるアクセスによる実施形態を適用してもよい。ＴＡＶＩまたは無縫合人工弁として使用されるために、弁部材がアセンブリの残りの部分によって押しやられる（ｄｉｓｌｏｇｅｄ）特定の実施形態を適用してもよい。この場合、弁の弁尖は、心膜組織または他のものなどのポリマーのものとは異なる材料で製造することができ、弁構造は、特定の回収要素を有することもできる。
【００５５】
さらに、他の疾患のある心臓弁を回復させる実施形態を適用してもよい。
【００５６】
デバイスは、頸動脈プロテクション用の弁付きまたは弁無しのフィルタ、ならびに抗塞栓フィルタ付きの再配置可能／再捕獲可能な静脈弁として、介入的放射線医学など、他の技術分野においても適用することができる。この場合、デフォルト設定（弁、フィルタ、コンベヤおよび関連の支持構造、カテーテル）ならびに予想される使用（急性、亜急性、慢性）の間で、使用予定の様々な要素についての特定の実施形態および寸法が適用されることになる。
【００５７】
寸法の観点では、健康な器官および治療予定の疾患のある器官の解剖学的寸法、様々な経カテーテルアプローチについてのアクセスサイズ、冠動脈および大動脈上動脈における塞栓プロテクションのためのフィルタサイズなど、特定の使用に関する寸法が適用されることになる。
【００５８】
図５〜図１１は、自己拡張型ニチノール構造の製造、外側支持構造５および弁支持ステント１４についてレーザ切断、ならびにコンベヤ６の編組またはワイヤリングに使用される技術である、以降、複合デバイスと称される一実施形態を示している。
【００５９】
この実施形態では、外側支持構造５および内側弁支持ステント１４は、一種の隔壁１３によって連結され、それによって外側支持体５および抗塞栓フィルタ要素に依存しない内側人工弁１５の展開が確実になる。フィルタ支持体としても機能するコンベヤ６は、デバイスの全長を減少させるために、外側構造５内に位置する。
【００６０】
図５において、展開配置にあるデバイスの長軸図は、係留ストラット４’、４’’によって内側軸カテーテル３’を外側自己拡張型支持構造５およびコンベヤ６に恒久的に結合するリングならびに弁支持ステント１４を示している。図５では、大動脈壁に対する漏れのない接触を確実にする外側支持構造５と内側メッシュライニング１０との間の連結も示されている。
【００６１】
図６において、展開配置にあるデバイス４の短軸（心室）図は、外側構造５とメッシュ１０との間の固定孔を示しており、それは、遠位側で逆戻りして人工弁１５の弁尖７に結合され、後者は、自己拡張性材料の内側弁支持ステント１４の外側を覆っている。拡張期において漏れないことは、二方向常閉弁６’’を遠位に備えるコンベヤ導管の配置とともに、弁尖要素７の不透過性メッシュおよびメッシュ１０によって保証される。収縮期および拡張期の両方において、弁６’’は、任意の血液および可能性のある塞栓粒子の漏れを防ぐために閉じたままであり；経カテーテルデバイスが導入されるとき、遠位コンベヤチューブ６’’は、直径に延び、それらの導入を促進し、適切な位置合わせを維持し、その一方、弁６’’は、デバイスの概ね漏れのない横断を可能にする。弁６’’は、送達システムによって直接操作される、または自動操作され、収縮期と拡張期の差圧で厳重に閉じたままとなるが、漏れのない連結を維持しつつ挿入されるデバイス送達システムの横断を可能にする。
【００６２】
図７は、弁尖７の交連、および外側から構造の輪郭を描く特定の結合部１４’を含む前記弁尖７の全体的な流入プロファイルの両方を支持する、自己拡張型内側弁支持ステント１４を示している。この配置は、収縮期における、幅の広い円筒形弁尖の開口部による圧力低下の最小化、および、拡張期の間の閉鎖および漏れバックフロー逆流の最小化を可能にする。係留ストラット４’’は、外側支持体５に対して十分に独立した、内側軸カテーテル３’への直接的な結合を可能にする。
【００６３】
図７ａ、図７ｂ、図７ｃ、図７ｄおよび図７ｅは、適当な回収性および径方向剛性を同時に確実にする、流入プロファイルの代替配置を示している。
【００６４】
図８は、固定孔５’側でコンベヤ６および関連のフィルタメッシュ１２を支持する自己拡張型外側支持構造５、ならびに弁尖７の流入側とのメッシュ１０の連結部を示している。
【００６５】
図９では、外側（５）および内側（１４）の両自己拡張型構造は、コンベヤ６と弁尖７要素を連結するための孔と一緒に、内側カテーテル３’にそれらを結合する係留構造の相互位置決めを略述するために、関連のメッシュ無しで示されている。
【００６６】
コンベヤ６と呼ばれる内部要素、および弁ステント支持体１４は、単一の要素５’’に組み込まれ、図９ａおよび図９ｂに示されるようにキーホール５’’’により係留ストラットによって外側構造５に結合されている。
【００６７】
図１０ａには、コンベヤ６の流出側、フィルタ１２の支持、および人工弁１５要素が、自己拡張型内側弁支持ステント１４および前記構造を内側軸カテーテル３’に連結する係留ストラットと一緒に示されている。
【００６８】
コンベヤおよびフィルタ要素に限って言えば、コンベヤの円錐形状は、第１に、外側３とは異なる外側カテーテルに装填されたデバイスによる滑らかかつ簡単な横断を保証し；第２に、それは、収縮期における関連の圧力低下を最低限に抑え、処置から出る任意の可能性のある塞栓デブリを濾過し、メッシュ１２、１０同士の間に得られる収集チャンバ内にそれを維持するために、適当なメッシュおよび表面のフィルタ１２で覆われており；第３に、それは、スムーズな回収を保証する。コンベヤの遠位端は、軸が治療予定の疾患のある弁と心合わせされる円筒形であり、装填デバイスの適切な位置合わせを保証する。さらに、この円筒形部材は、送達システムを通してのデバイスの装填および回収のために加えられる力を最小限に抑えるのに適切な径方向コンプライアンスを有する。
【００６９】
図１０ｂでは、同じ要素を流入側から見ており（心室図）、図示のコンベヤの遠位部には二方向常閉弁があり、収縮期においても、デバイス４を横断する任意の塞栓を妨げ、拡張期においても、装填デバイスがデバイス４を横断することを可能にしつつ全体的な漏れを最小限に抑え、流れのない状態を保証する。
【００７０】
弁に限って言えば、図１０ａおよび図１０ｂは、流出側および流入側からの人工弁本体１５を示している。幅の広い弁尖円筒形開配置を保証するために、弾性的に被覆された厚みの少ないポリマーファブリックから作られた弁尖を含む三弁尖配置が選択され、支持構造１４の外側に装着された。この設計配置は、最適な柔軟性／折り畳み性と同時に、比較的低い伸展性、したがって最適な血行動態および機械的特性を保証する。設計および材料は、収縮期では、大きな口面積および弁尖の折り畳み性により、低い圧力低下の観点から適切な血行動態性能を可能にし、ならびに、拡張期では、弁尖の漏れない特性、および前記弁尖の閉鎖において遠位コンベヤ無漏チューブ本体６’’に関する適切な連結を可能にする関連の折り畳み性により、低い逆流を可能にする。
【００７１】
図１１は、コンベヤ／フィルタの相互位置決め、ならびに関連の外側（５）および弁支持ステント（１４）支持構造に対する弁の相互位置決めを見えるようにするために、メッシュ１０のない組み立て済みのデバイス４の配置を示している。
【００７２】
放射線不透過性マーカは、ポストおよびサイドアクセスなどの特定の場所、ならびに、大動脈弓レベルなどの内側カテーテルの場所をより良く検出するために配置される。材料、結合機構および要素の数は、現状の技術水準および現行の手順に基づいて選択される。
【００７３】
図１２〜図１５は、複合のものと同様に構成され、全長を最小化するために本体に対して内側にコンベヤがあるが、外側支持構造５もコンベヤ６も超弾性金属メッシュから作られており、したがってメッシュ実施形態と称される一代替実施形態を示している。複合実施形態に対するその他の違いは、メッシュ実施形態では、外側支持構造５が、人工弁１５の弁尖のための固定面を直接提供することである。
【００７４】
図１２は、メッシュアセンブリの側面図を示し、要素同士の間にある関連の連結とともに、外側円筒形構造５、メッシュ１０、コンベヤ６、関連のメッシュ１２、および人工弁１５を含む。
【００７５】
超弾性金属外側構造５の連結要素は、以下のような：係留構造４’であって、リング１１によって内側カテーテル３’に恒久的に結合され、外側構造５およびコンベヤ６の流入側を支え、適切な自己拡張および回収を可能にするように要素の相互摺動を可能にする、係留構造４’であり；円筒形チューブメッシュ１０は、外側構造５と人工弁１５との間の相互結合要素として働き、すなわちそれらを流入側および流出側で、その流入側プロファイルに沿ってチューブ１０および弁に裁縫／超音波溶接されている。
【００７６】
図１３には、コンベヤ６が示されており、その円錐部において、および、二方向常閉弁を備える関連のコンベヤ遠位チューブ６’’において、係留構造４’’によって内側カテーテル３’に結合している。同じ構成は、ここで適用の好ましいアセンブリについてすでに示されている。
【００７７】
図１４には、外側支持構造５およびその内壁に固定された内側弁支持ステント１４が示されている。この実施形態は、デバイスの低いプロファイル特性を最適化するために、独立した弁固定を有するのではなく、内側金属支持構造を欠いているという点で、複合のものとは異なっている。
【００７８】
図１５には、外側支持構造５および係留ストラット４’’の間の摺動連結が流出側から示されている。
【００７９】
図１６〜図１８は、複合のものから派生しているが、デバイスの外側に近位に配置されたコンベヤ６システムを含む、デバイス４を示している。
【００８０】
図１６に見られるように、この実施形態は、原理上、より長い遠位コンベヤチューブにより、先のものよりも優れた装填デバイスの位置合わせを保証することができ、また、他のものの内側に置かれた要素の減少した数のおかげで、外側カテーテル３内の小カリパの簡単な回収を保証することができる。同時に、内側コンベヤの実施形態に対して長さがより高いために、１１’での連結は、遠位側における大動脈への安定的な固定を保証しつつ近位コンベヤ側での大動脈弓パターンに従うために、フレキシブルでなければならない。
【００８１】
図１６、図１６ａ、図１７、図１８は、複合のもの（すなわち、人工弁１５とその弁支持ステント１４の間の連結、メッシュ１０と外側構造５との間の連結）と類似する要素を示しており、主な違いとして：コンベヤ錐体６は、近位にあり、それは、外側構造５の外側に配置され、それは、コンベヤの内側ルーメンの方に向けた装填デバイスの動きを駆動する機械的機能だけを有することができる濾過メッシュで部分的に遠位に覆われており；抗塞栓フィルタメッシュ１２は、逆に、リング１１’に対して遠位の外側構造の円錐部内にある。
【００８２】
以下の図面には、コンベヤシステムのない、外側支持体５および弁支持ステント１４のいくつかの代替実施形態が示されている。
【００８３】
図１６ｂ、図１６ｃ、図１６ｄおよび図１６ｅはそれぞれ、複合デバイス４の外側構造５の、レーザ切断の２つの代替実施形態、および編組の２つの代替実施形態を示しており、径方向剛性または回収性特性により良く適応するようにするため、ダイヤと直線要素との間の比率が異なっている。
【００８４】
図１６ｆは、自己拡張構造を示しており、外側（５）および弁ステント（１４）支持構造の特性が１つに組み合わされており、後者のものは弁尖のポストの保持のみに当てられている。この実施形態は、回収性を最大にするために、支持構造の径方向の厚みを最小にすることが意図される。図１６ｇは、複合メッシュと類似する自己拡張構造を示しており、２つのダイヤ構造は、弁の流入側および流出側で、回収でのこの領域およびスカート要素の全長変動を回避するために、線形要素によって結合されている。
【００８５】
図１９および図２０には、膨張可能デバイスの特定の一実施形態が記載されている。
【００８６】
膨張可能構造の使用は、製造に関与する異なる材料の数を最小にする目的を有し、それは、折り畳みデバイスの余計なものの削減を可能にする。さらに、それは、放射線不透過性の特性のあるＣＯ２フィルタにより、デバイスの簡単な位置決めを可能にする。
【００８７】
支持構造がすべて膨張されるデバイス４から始まり、外側支持構造５内のコンベヤ６およびそれに直接結合される人工弁１５のデバイス４、そして外側支持構造５の長手方向要素およびニチノールなどの自己拡張材料から作られる弁支持ステント１４および構造５に対して外にあるコンベヤのデバイス４まで、いくつかの異なる実施形態は、膨張可能グループに適用される。
【００８８】
疾患のある弁における関連の結果を検証するために回復処置の終わりに使用されることを意図する弁の開放機構に限って言えば、内側カテーテル３’内に近位に保持され送達システムによって命令される、押す／引くまたは回転する軸機構により弁尖７および／または弁支持ステント１４に直接作用する、様々な実施形態が適用できる。
【符号の説明】
【００８９】
１  案内ワイヤ
２  バルーンカテーテル先端
３  デバイスの外側軸カテーテル
３’  デバイスの内側軸カテーテル
４  デバイス
４’  デバイスを内側軸カテーテル３’に連結する係留ストラット
４’’  コンベヤ６と弁支持ステント１４を連結する係留ストラット
５  デバイスの外側支持構造
５’  フィルタメッシュへの固定孔
５’’  （要素６および１４を含む）組み合わさった内側構造
５’’’  構造５’’（単一要素に組み合わせられた弁支持ステント１４およびコンベヤ６）を外側支持構造５に連結するキーホールを含む係留ストラット
６  コンベヤ（４内または外側に組み込まれる）
６’  コンベヤの内側ルーメン
６’’  二方向常閉弁を含む遠位コンベヤチューブ
６’’’  デバイス４の外側にあるコンベヤのための固定孔
７  内側人工弁の弁尖
８  冠動脈デフレクタ
９  大動脈上（ｅｐｉａｏｒｔｉｃ）血管デフレクタ
１０  抗塞栓フィルタ機能を含む、大動脈の内面に連結する支持構造５の内面または外面上に取り付けられるメッシュ
１１  内側軸カテーテル３’への結合リング
１１’  デバイスを外側コンベヤ６に結合する結合リング
１２  コンベヤ６上に通常取り付けられる抗塞栓フィルタメッシュ
１３  外側支持構造と内側人工弁構造１２との間の接合隔壁
１４  弁支持ステント
１４’  弁尖固定構造
１４’’  係留ストラット４’’と弁支持体との間の接合柱
１５  人工弁
１６  膨張可能構造
１７  弁の弁尖７を開けさせる機構
１８  放射線不透過性マーカ
【図１】
2020520296.tif 000003
【図２】
2020520296.tif 000004
【図３】
2020520296.tif 000005
【図３ａ】
2020520296.tif 000006
【図４】
2020520296.tif 000007
【図４ａ】
2020520296.tif 000008
【図５】
2020520296.tif 000009
【図６】
2020520296.tif 000010
【図７】
2020520296.tif 000011
【図７ａ】
2020520296.tif 000012
【図７ｂ】
2020520296.tif 000013
【図７ｃ】
2020520296.tif 000014
【図７ｄ】
2020520296.tif 000015
【図７ｅ】
2020520296.tif 000016
【図８】
2020520296.tif 000017
【図９】
2020520296.tif 000018
【図９ａ】
2020520296.tif 000019
【図９ｂ】
2020520296.tif 000020
【図１０ａ】
2020520296.tif 000021
【図１０ｂ】
2020520296.tif 000022
【図１１】
2020520296.tif 000023
【図１２】
2020520296.tif 000024
【図１３】
2020520296.tif 000025
【図１４】
2020520296.tif 000026
【図１５】
2020520296.tif 000027
【図１６】
2020520296.tif 000028
【図１６ａ】
2020520296.tif 000029
【図１６ｂ】
2020520296.tif 000030
【図１６ｃ】
2020520296.tif 000031
【図１６ｄ】
2020520296.tif 000032
【図１６ｅ】
2020520296.tif 000033
【図１６ｆ】
2020520296.tif 000034
【図１７】
2020520296.tif 000035
【図１８】
2020520296.tif 000036
【図１９】
2020520296.tif 000037
【図２０】
2020520296.tif 000038
【国際調査報告】
2020520296.tif 000039
2020520296.tif 000040